(57)【要約】コンピュータ診断（ＣＡＤ）システムのためのＩ／Ｏインタフェースであって，前記Ｉ／Ｏインタフェースは，イメージ入力の前に複数のイメージのためのイメージ識別情報を入力するための手段を含むデータ入力手段と，複数のソースのインタフェースを包括し，その各々のインタフェースが少なくとも１つのイメージソースに連結し，複数のイメージソースからのイメージの入力を可能にするイメージ入力手段と，を含む入力インタフェースと，出力インタフェースとを含み，イメージが前記イメージ入力手段を使用して入力された場合に，各々のイメージが予め設定された命令に従って割り当てられる。
2006502751.tif 000002
【特許請求の範囲】
【請求項１】
コンピュータ診断（ＣＡＤ）システムのためのＩ／Ｏインタフェースであって，前記Ｉ／Ｏインタフェースは，
イメージ入力の前に複数のイメージのためのイメージ識別情報を入力するための手段を含むデータ入力手段と，複数のソースのインタフェースを包括し，その各々のインタフェースが少なくとも１つのイメージソースに連結し，複数のイメージソースからのイメージの入力を可能にするイメージ入力手段と，を含む入力インタフェースと，
出力インタフェースと，を含み，
イメージが前記イメージ入力手段を使用して入力された場合に，各々のイメージが予め設定された命令に従って割り当てられる，
ことを特徴とするＩ／Ｏインタフェース。
【請求項２】
前記イメージ識別情報は，少なくとも１つのバーコードを含む，ことを特徴とする請求項１に記載のＩ／Ｏインタフェース。
【請求項３】
前記出力インタフェースは，前記データ入力手段に関連して，前記イメージ識別情報の入力を可能にする，
ことを特徴とする請求項１に記載のＩ／Ｏインタフェース。
【請求項４】
前記イメージ入力手段は，さらに，
ディジタルイメージ情報を提供する少なくとも１つのデジタル入力ソースを含む，
ことを特徴とする請求項１に記載のＩ／Ｏインタフェース。
【請求項５】
前記デジタル入力ソースは，
無線通信リンクを介してディジタルイメージを受信するための手段を含む，
ことを特徴とする請求項４に記載のＩ／Ｏインタフェース。
【請求項６】
前記デジタル入力ソースは，ディジタルイメージを受信する，コンピュータネットワークへの接続を含む，
ことを特徴とする請求項４記載のＩ／Ｏインタフェース。
【請求項７】
前記イメージ入力手段は，
少なくとも１つのフィルムディベロッパ，
１または２以上のフィルムディベロッパから直接フィルムを受信する，少なくとも１つのフィルムのフィーダ，及び，
少なくとも１つのフィルムフィーダからフィルムを受信しスキャンイメージを提供する，少なくとも１つのフィルムスキャナ，を含む
ことを特徴とする請求項１に記載のＩ／Ｏインタフェース。
【請求項８】
前記データ入力手段は，コンピュータネットワークへの接続を含む，ことを特徴とする請求項１に記載のＩ／Ｏインタフェース。
【請求項９】
前記出力インタフェースは同時にディスプレイを含み，
ディスプレイの総利用可能領域の少なくとも１／４を含むイメージディスプレイ，
イメージデータディスプレイ，
データ入力手段を介して選択可能なオプションのディスプレイ，
前記イメージディスプレイで示された少なくともイメージに関係する情報を含むイメージ管理ディスプレイ，を含む，
ことを特徴とする請求項１に記載のＩ／Ｏインタフェース。
【請求項１０】
前記データ入力手段は，さらに前記ＣＡＤシステムによって特定された異常の表示された指標を編集するための手段を含む，ことを特徴とする請求項１に記載のＩ／Ｏインタフェース。
【請求項１１】
前記編集は，
指示の受け入れ，
指示の拒絶，及び
新たな指示の付加のうち
少なくとも１つを含む，
ことを特徴とする請求項１０に記載のＩ／Ｏインタフェース。
【請求項１２】
前記請求項１のＩ／Ｏインタフェースと，ＣＡＤ処理を実行するためのソフトウェア実行中のコンピュータシステムとを含む，ことを特徴とするＣＡＤシステム
【請求項１３】
コンピュータ診断（ＣＡＤ）システムのためのＩ／Ｏインタフェースであって，前記Ｉ／Ｏインタフェースは，
入力インタフェースと，
同時に以下を含むディスプレイを含む出力ディスプレイと，
イメージディスプレイ，
イメージデータディスプレイ，
データ入力手段を介して選択可能なオプションのディスプレイ，
前記イメージディスプレイで示された少なくともイメージに関係する情報を含むイメージ管理ディスプレイ，
を含むことを特徴とするＩ／Ｏインタフェース。
【請求項１４】
前記イメージ管理ディスプレイは，イメージディスプレイに表示される，少なくとも２つのミニチュアのイメージを表示できるディスプレイを含む，ことを特徴とする請求項１３に記載のＩ／Ｏインタフェース。
【請求項１５】
さらに，前記少なくとも２つのミニチュアのイメージを表示できるディスプレイは，各々のミニチュアのイメージのためのイメージ識別情報のディスプレイを含む，ことを特徴とする請求項１４に記載のＩ／Ｏインタフェース。
【請求項１６】
さらに，前記少なくとも２つのミニチュアのイメージを表示できるディスプレイは，各々，各ミニチュアのイメージの処理状態を示すための手段を含む，ことを特徴とする請求項１４に記載のＩ／Ｏインタフェース。
【請求項１７】
前記各々の各ミニチュアのイメージの処理状態を示すための手段は，ミニチュアのイメージに関連しているインジケータ，ミニチュアのイメージの処理状態を示す色を表示すインジケータを含む，ことを特徴とする請求項１６に記載のＩ／Ｏインタフェース。
【請求項１８】
前記各々の各ミニチュアのイメージの処理状態を示すための手段は，ミニチュアのイメージに関連している英数字のディスプレイ，ミニチュアのイメージの処理状態を示す英数字のディスプレイを含む，ことを特徴とする請求項１６に記載のＩ／Ｏインタフェース。
【請求項１９】
前記各々の各ミニチュアのイメージの処理状態を示すための手段は，ミニチュアのイメージに関連しているディスプレイ，少なくとも１つのシンボルがミニチュアのイメージの処理状態の指標を示すディスプレイを含む，ことを特徴とする請求項１６に記載のＩ／Ｏインタフェース。
【請求項２０】
前記イメージディスプレイは，スケールインジケータを含む，ことを特徴とする請求項１３に記載のＩ／Ｏインタフェース。
【請求項２１】
前記スケールインジケータは，ユーザ選択可能である，ことを特徴とする請求項２０に記載のＩ／Ｏインタフェース。
【請求項２２】
前記イメージディスプレイは，複数の結果をサポートするディスプレイを含む，ことを特徴とする請求項１３に記載のＩ／Ｏインタフェース。
【請求項２３】
前記Ｉ／Ｏインタフェースは，ユーザが複数の結果をサポートするディスプレイのイメージ結果を選択することが可能な手段を含む，ことを特徴とする請求項２２に記載のＩ／Ｏインタフェース。
【請求項２４】
前記イメージディスプレイは，ＣＡＤシステムによって特定された疑われた異常の指標を含む，ことを特徴とする請求項１３に記載のＩ／Ｏインタフェース。
【請求項２５】
前記イメージディスプレイは，さらにユーザによって特定された疑われた異常の指標を含む，ことを特徴とする請求項２４に記載のＩ／Ｏインタフェース。
【請求項２６】
前記イメージディスプレイは，さらにＣＡＤシステムによって特定されて疑われた異常の指標を含，ユーザによって拒絶される，ことを特徴とする請求項２４に記載のＩ／Ｏインタフェース。
【請求項２７】
前記イメージ管理ディスプレイは，入力インタフェースを通してユーザによって入られたコメントのディスプレイを含む，ことを特徴とする請求項１３に記載のＩ／Ｏインタフェース。
【請求項２８】
入力インタフェースを通して選択可能なオプションのディスプレイが少なくとも以下の２つのオプションを含む，
セットアップＩＤ，範囲，印刷，癌の検出，診断，終了，停止，
ことを特徴とする請求項１３に記載のＩ／Ｏインタフェース。
【請求項２９】
入力インタフェースを通して選択可能なオプションのディスプレイが少なくとも以下の２つのオプションを含む，
印刷，完了，次回診断，診断せず，終了，イメージ調整
ことを特徴とする請求項１３に記載のＩ／Ｏインタフェース。
【請求項３０】
前記イメージ調整は，少なくとも以下の１つを含む，
コントラスト調整，明るさ調整，および倍率，
ことを特徴とする請求項２９に記載のＩ／Ｏインタフェース。
【請求項３１】
前記イメージデータディスプレイは，少なくとも２つの以下を含む入力インタフェースを通して選択可能なオプションを含む，
修正ＩＤ範囲，コントラスト調整，および明るさ調整，
ことを特徴とする請求項１３に記載のＩ／Ｏインタフェース。
【請求項３２】
請求項１３のＩ／Ｏインタフェースと，ＣＡＤ処理を実行するためのソフトウェア実行中のコンピュータシステムとを含む，ことを特徴とするＣＡＤシステム。
【発明の詳細な説明】
【技術分野】
【０００１】
本発明は，異常と放射線像のデジタル処理のコンピュータ診断（ＣＡＤ）の方法及びシステムに関する。さらに詳細には，本発明は，異常の再選別と検出の自動化方法及びシステムのためのユーザインタフェースに関する。
【背景技術】
【０００２】
コンピュータ診断（ＣＡＤ）システムは，異常の識別におけるユーザを補助するためのデジタル処理方法を使用する。米国特許番号５，９１７，９２９は，フィルムの入力をＣＡＤシステムに容易にするためにユーザインタフェースについて開示されている。  ユーザインタフェースは，フィルムベースのイメージを受け取って，スキャンするスキャナと，それらをスキャナに保持して輸送するフィルムフィーダとを含む。タッチ反応ディスプレイの画面は，オペレータから状態情報を表示して，指示を受けるために提供される。ディスプレイの画面は，色分けされた境界（フィルムの処理のステージをオペレータに示す色）を有するフィルムのミニチュアのイメージを表示す。インタフェースは，さらに，バーコードリーダーを含み，オペレータがスキャナを検査するための手順を行うことができる。しかしながら，上記に加え，提供可能で提供されていない多くの能力が存在する。
【発明の開示】
【発明が解決しようとする課題】
【０００３】
発明の概要
本発明の目的は，従来技術ユーザインタフェースよりすばらしい能力と共にさらにフレキシブルなユーザインタフェースをＣＡＤシステムに供給することになっている。より明確に，本発明には，オブジェクトとして少なくとも以下がある：（１）ユーザがＣＡＤシステムの出力から診断結果を変更可能にするために；（２）ユーザがＣＡＤ処理の後にイメージを操作可能にするために；（３）ＣＡＤプロセッサがヒューマンインタフェースなしでフィルムディベロッパ，ディジタイザ，ｐｈｏｓｐｈｅｒ−プレートスキャナなどのイメージ収集デバイスを直接接続可能にするために；（４）ＣＡＤプロセッサが複数のイメージ収集デバイスに接続可能にするために；及び（５）複数のイメージスキャンのための複数のイメージ識別のエントリーを可能にするために。
【課題を解決するための手段】
【０００４】
ある実施形態では，本発明はユーザインタフェース包含を含む。インタフェースを入力してください。入力インタフェースはイメージ入力とデータの入力の両方を収容することができる。イメージ入力を収容するために，入力インタフェースは少なくとも１つのフィルムフィーダと少なくとも１台のイメージ収集デバイスを含むことができる。それはさらに複数のイメージフィーダとスキャナを含むことができる。少なくともイメージフィーダ，及び／又は，スキャナの一つは直接イメージディベロッパから入力を受け取ることができる。入力インタフェースは，さらに，ディジタルイメージ入力，無線通信を通したコンピュータネットワークを通した包含を受ける手段を含むことができる。
【０００５】
データの入力を収容するために，入力インタフェースは，キーボード，キーパッド，マウス，バーコードリーダー，及び／又は他の入力装置を含むことができる。それはさらに，声のインタフェース，及び／又は書くことのインタフェース（例えば，デジタルタブレット）を含むことができる。また，そのようなデータの入力は，ワイヤレスの手段かコンピュータネットワークで提供されることができる。
【０００６】
他の実施形態では，本発明は，ディスプレイ手段を含む出力インタフェースを含む。ディスプレイは，スキャンされる。ディスプレイ手段は複数のイメージの小さい「サムネイル」ディスプレイを含むことができる，そして，また，それはただ一つのイメージの大画面を含むことができる。ディスプレイはＣＡＤ処理で検出された疑われた異常の指標を含むことができる。ディスプレイはさらに入力インタフェースを使用することで入られたユーザによって特定され，ユーザによって受け入れられて，ユーザによって削除された異常を収容することができる。
【０００７】
出力インタフェースは，さらにイメージデータとコメントのディスプレイを含むことができる。また，それは入力インタフェースに関連して使用のためのオプションとディスプレイを含むことができる。
【０００８】
定義
本発明の説明において，以下の定義はあらゆる点で適切である。（上記を含む）。
【０００９】
「コンピュータ」は，構造化された入力を受け入れ，予め定められた規則に応じて，構造化された入力を処理し，出力として処理結果を提供することが可能ないかなる装置を示す。コンピュータに関する例は，コンピュータ，汎用計算機。スーパーコンピュータ，  メインフレーム，最高のミニ・コンピュータ，ミニ・コンピュータ，ワークステーション，マイクロコンピュータ，サーバ，インタラクティブテレビ，コンピュータとインタラクティブテレビのハイブリッド組み合わせ，そして，コンピュータ，及び／又は，ソフトウェアを見習うアプリケーション特有のハードウェア，コンピュータは，並行及び／又は並行でなく作動できる，単一のプロセッサか複数のプロセッサを有することができる。また，コンピュータはコンピュータの間に情報を伝えるか，または受け取るためのネットワークを通して一緒に接続された２台以上のコンピュータについて言及する。そのようなコンピュータに関する例はネットワークによってリンクされたコンピュータを通して処理情報の分散コンピュータシステムを含む。
【００１０】
「コンピュータ読み込み可能な媒体」は，コンピュータによってアクセス可能なデータを保存するのに使用されるいかなる記憶装置も示す。コンピュータ読み込み可能な媒体に関する例は，磁気ハードディスク，フロッピーディスク，ＣＤ−ＲＯＭやＤＶＤのような光ディスク，磁気テープ，メモリー用チップ，及び，以前はよくコンピュータ読み込み可能な電子データを運びましたキャリア波（これはメールを送信して，受け取るか，またはネットワークにアクセスする際に使用される）を含む。
【００１１】
「ソフトウェア」は，コンピュータを操作するための規則を示す。ソフトウェアに関する例は，ソフトウェア，コードセグメント，指示，コンピュータ・プログラム，及びプログラムされた論理を含む。
【００１２】
「コンピュータシステム」は，コンピュータを有するシステムを示す。そこでは，コンピュータが，コンピュータを操作するためにソフトウェアを具体化するコンピュータ読み込み可能な媒体を含む。
【００１３】
「ネットワーク」は，多くのコンピュータと通信機器によって接続される関連デバイスを示す。または，ネットワークがケーブルなどの永久接続か電話を通して作られたものなどの一時性結合にかかわる，他の通信リンク，または両方，ネットワークに関する例は，インターネットなどのインターネット，イントラネット。ローカル・エリア・ネットワーク（ＬＡＮ），広域ネットワーク（ＷＡＮ），及びインターネットやイントラネットなどのネットワークの組み合わせ，を含む。
【００１４】
「コンピュータ診断（ＣＡＤ）システム」は，コンピュータシステムである，患者のエックス線イメージ，乳首しみなどの患者の診断イメージ，胸部Ｘ線写真，または同様のものを受け取る。患者の診断イメージを処理する。そして，ＣＡＤが特定の位置（例えば，病気の位置）で，全体の患者の診断イメージ上に現れる潜在的異常を示す結果であると生成する。（通常，ＣＡＤは，イメージがいくらかの異常を有することを示すだけで，イメージ上で特定の位置を指定しない。）
【発明の効果】
【００１５】
医師か他の健康管理プロバイダーが他と共にＣＡＤ結果を，患者のために病気の詳細と位置を決定するツールと情報と共に，使用できる。
【発明を実施するための最良の形態】
【００１６】
本発明の実施の形態の説明
本公開では，胸のエックス線ベースのＣＡＤシステムは例として使用される。しかしながら，本発明はそのようなシステムに制限されないが，一般に，ＣＡＤシステムに好適である。その上，ここで説明された実施形態は１つに接続する１つの処理装置か複数のイメージ収集デバイスにかかわります。しかしながら，また，発明も複数の処理装置から成る構成に適切である。
【００１７】
本発明は，ＣＡＤシステムをインタフェースに提供する方法とシステムを含む。そのようなインタフェースは両方の入出力インタフェースを含む。
【００１８】
図１は，典型的なＣＡＤシステムのブロック図を示している。システムの中心はコンピュータシステム２である。（そのコンピュータシステムはＣＡＤが機能性であると実装するソフトウェアを動かする）。ユーザ，及び／又は，他のシステムからのデータは入力インタフェース１を通してコンピュータシステム２に入力される。コンピュータシステム２は，出力インタフェース３を通して出力を提供する。入力インタフェース１と出力インタフェース３は別々のブロックとして示されましたが，それらは多分ただ一つのＩ／Ｏインタフェースとして結合している。
【００１９】
入力インタフェースＩは，多くの異なった入力装置を含むことができる。コンピュータシステム２には，単一の入力装置だけと対話する能力があるようにすることができる。しかしながら，それは複数の入力装置と通常対話できる。一般に，２つのタイプの入力がある：ユーザ入力，（例えば，欧数字データ，何らかのデータ（選択／指示）がマークするユーザによって特定されることのバーコード，デバイスが特定した異常である，同様のもの），及び，イメージデータ（例えば，エックス線イメージ，コンピュータ断層エックス線撮影（コネチカット）イメージ，および同様のもの）。一般に，入力インタフェース１は，両方のタイプの入力を容易にするための手段を含むことができる。
【００２０】
図２は，受信できる複数のイメージ入力装置から入力されたコンピュータシステムのブロック図を示している。図２では，コンピュータシステム２と出力インタフェース３は，便宜のために「２，３インチ」とラベルされたシングルブロックとして示される。図２に示されるように，イメージ入力装置は，システム２，３に接続されて，複数のイメージソースをソースのインタフェースに提供する。これらのデバイスは，単一のフィルムスキャナ１１，１２，複数のフィルムスキャナ１０，１２または他のイメージ収集デバイスを含むことができる。（イメージがデジタル形式に既にないなら，デバイスはデジタル化を含む）。例えば，ディジタルイメージデータは，直接ディジタルイメージソース１３から入力されることができる。例えば，含む他のイメージ収集デバイスが意図するそのようなものは，受信するためのイメージと手段の放送を受けるためにコンピュータネットワークからのイメージを意味する。示されるように，複数のフィルムスキャナがマルチフィルムフィーダ１０がある単一のスキャナ１２であるかもしれないか，数個のスキャナが１２である，各々単一のフィルムフィーダ１１で，複数のスキャナが１２で，各々マルチフィルムフィーダ１０である。
【００２１】
いくつかのタイプのフィルムスキャナが市販されている。１つの模範的タイプがＬｕｍｙｓｉｓ（現在のコダックカメラの一部）によって作られたレーザスキャナである。Ｌｕｍｙｓｉｓスキャナは，信号を入手するのにレーザー光線を放って，フォト乗数を使用する。ものがハウテック（Ｈｏｗｔｅｋ）とビーダル（Ｖｉｄａｒ）に生産されたように別のタイプのスキャナはＣＣＤスキャナである。ビーダル（Ｖｉｄａｒ）スキャナは，イメージを帯びるのに蛍光光を放って，ＣＣＤを使用する，ハウテック（Ｈｏｗｔｅｋ）スキャナは，狭い帯域幅光を放って，イメージを帯びるのにＣＣＤを使用する。模範的システム実施形態に使用されるビーダル（Ｖｉｄａｒ）スキャナは，そのフィーダに同時に２５枚までのフィルムを受け入れることができる。
【００２２】
フィルムベースのＣＡＤシステムのためのさらに別のイメージ入力の可能性は，フィルムスキャナが直接フィルム現像機に接続されることである。これは図３に示される。示されるように，フィルムディベロッパ１５は，フィーダ１４を撮影するために接される。（単一のフィルムフィーダかフィーダは複数のフィルムフィーダのどちらかであることができる）。図２に示すように，フィルムフィーダ１４はフィルムスキャナ１２にフィルムを提供する。（それは，ＣＡＤシステム２，３にイメージ入力を供給する）。したがって，処理剤フィルムは，その結果，自動的にＣＡＤシステムに送られて，処理される。
【００２３】
入力インタフェース１は，バーコードを使用して，あるいは数値キーパッド，キーボード，ネットワーク（例えばインターネット接続の上で）あるいは他の入力装置を使用して入力されたデータを使用して，複数のイメージＩＤ管理をさらに容易にする。図４は，バーコードイメージＩＤ入力機能を使用することで発明の模範的実装を示している（即ち，図４はユーザに表示されるものに関するスクリーンショットである；ディスプレイ自体は技術的に出力インタフェース３の一部である）。この実装では，ユーザは，フィルム走査の前に複数のイメージＩＤを入力するのにバーコード（または，他のイメージ入力）を使用できる。あるいは，ユーザは，イメージＩＤを入力するのにキーボード，キーパッド，または他の手段を使用することができる。フィルム走査（イメージ入力）処理の間，予め分類された順番かある他の予め設定された順番に従って，各ＩＤは各々のデジタル化しているイメージに割り当てられることができる。（それは，ユーザによって決定されることができる）。
【００２４】
一般に，上記で議論するように，また，入力インタフェース１は，ユーザ入力を容易にするためにデバイスを含む。そのようなデバイスは，例えば数値キーパッド，キーボード，マウス，電子ペン，タッチスクリーン（ハイブリッド入力インタフェース１／出力インタフェース３である），または声のインタフェースを含むことができる。イメージに関するデータを入力して，必要情報を入力する目的の両方がＣＡＤシステムを動かすのにそのようなデバイスを使用することでされた入力は使用されることができる（例えば，イメージなどを選択して，ユーザによって特定された新しいマーク／指示を加えて，パラメータに入れて，受け入れて，ＣＡＤシステムによって特定される異常に関連しているマーク／指摘を拒絶して，稼働するようにシステムに言いる）。声のインタフェースの場合では，模範的声のインタフェースは医師の診断か他のコメントを記録するためにＣＡＤシステム，及び／又は，音声録音装置を操作するのに使用できた音声操作のデバイスを含む。
【００２５】
一般に，出力インタフェース３は，システムユーザに出力を提供する全てのデバイスからなる。そのようなデバイスは，モニター，タッチスクリーン，オーディオスピーカー，またはいかなる他の出力装置も含むことができる。出力インタフェース３は，入力インタフェース１と共に，ユーザに対して，開始，コントロール，レビュー，及びＣＡＤ処理の結果の操作を許可する。
【００２６】
本発明にかかるＣＡＤシステムの出力インタフェース３の特定の実施例は，新しい診断結果かＣＡＤ結果から変更された結果のどちらかで，ユーザを許容する。
・幾つかのあるいは全てのＣＡＤ結果を保持することによってＣＡＤ結果を受け入れる。
・いくつかあるいは全てのＣＡＤ結果を取り除くことによってＣＡＤ結果を拒絶する。
・新しい診断結果を付加する。
・上記のいかなる組み合わせも適用して，最終的な診断結果を生成する。
【００２７】
かかる機能をサポートする出力インタフェース３の特別な実施の形態は以下に議論される。
【００２８】
図５は，上記議論された機能を実施するための模範的な特徴を診断するスクリーンショットを示す。図５は，複数のサムネイルイメージからなるモザイクのアレンジメント／イメージ管理ディスプレイ５１を含む。（そこでは，イメージ識別情報のディスプレイが各イメージのために含まれている）。個々のサムネイルイメージは，処理状態をユーザに示す手段で実装されることができ，これは多くの方法で完了されることができる。例えば，米国特許番号５，９１７，９２９では，各々のサムネイルイメージの境界５２は各処理段階で異なった色を呈する。各処理段階を示すために異なった色を変えるドットを使用することで同様にこれを実装することができる。一方，多くの異なった有色のドットを各イメージに，異なった処理段階に関連している各々の色で，使用することができる。この実装では，イメージのために現在の処理段階を示して，１つのドットが他のもの（断続的に回される有色のライトと同様のもの）より明るい。他の実施形態では，各サムネイルイメージに関連している英数字のディスプレイによってこの機能は実装され，英数字のディスプレイが関連イメージの処理段階を示す。これは，処理段階のステージの状態かコードの形とすることができる。さらに他の実施形態，処理段階を示す１つ以上のシンボルを含んでいて，処理段階を示すディスプレイは各サムネイルイメージのための絵のディスプレイの形であることができる。
【００２９】
図５のサムネイルイメージは，本発明の代替的な実施の形態として，テキストのみがイメージのために表示されることにより，取って変わることができ。
【００３０】
また，図５は，ＣＡＤ結果あるいは他のイメージのイメージディスプレイ５５を含む。望ましくは，イメージディスプレイ５５は，入念な検査に適したイメージをユーザに提供するために，少なくともスクリーンの総利用可能な領域の１／４を含む。イメージディスプレイ５５で表示されるべきイメージは，ユーザによって選択されることができる。また，イメージディスプレイ５５は，スケールインジケータ５７で装備されることができる。スケールインジケータ５７をインチ，センチメートルなのユニットに提供することができる。本発明の好ましい実施形態では，ユニットは，ユーザによって選択されている。発明の好ましい実施形態では，イメージディスプレイ５５は，様々な出力イメージ結果（例えば，３７．５，７５，１５０，３００，６００ｄｐｉ）であるとサポートすることができる。さらに，出力イメージ結果はユーザ選択可能であることができる。
【００３１】
イメージディスプレイ５５で表示されたイメージがＣＡＤ出力を表すとき，一般に，イメージにＣＡＤ処理の結果を表示する。図５では，円５６によって囲まれた状態で，ＣＡＤシステムで決定する疑われた異常は示される。あるいは，他の形は使用されることができる。
【００３２】
また，図５で示されたスクリーンは，情報表示フィールド５４を含む。  情報表示フィールド５４は，例えば期日，時間，オペレータ，我慢強いＩＤ番号，または他の同様の情報を表示すのに使用されることができる。図５では，情報表示フィールド５４は，情報が表示した好ましい実施形態が以前に説明されているような情報を示すイメージ入力の部分から取られるのを示す。
【００３３】
また，出力インタフェース３は，入力インタフェース１の一部として機能することができる。図５では，オプション５３のディスプレイは，ユーザによる入力装置（例えば，マウス，電子ペンなど）を使用した選択のために数個の異なった「ボタン」を含む。示された好ましい実施形態では，ユーザは，ＩＤ範囲をセットアップし，プリントアウトを要求し，癌の検出などを実行するようシステムに指示する機能を実行できる， 
【００３４】
出力インタフェース３は，ユーザが多数のタイプのＣＡＤ結果の後工程操作を実行するのを可能にすることができる。図６は，ＣＡＤ処理が完了した後に、イメージのディスプレイを示すスクリーンショットについて表現する。イメージディスプレイ５５は，再びイメージを含み，現在，イメージはＣＡＤ処理で特定された潜在的異常（例えば，参照数字の６２で示されるように）の指標を含む診断イメージである。潜在的異常は、包囲で示されるだけではなく，いかなる他の手段でも示されることができる。例えば，いかなる形（ただ，旋回しない）も使用してもよく，矢印は使用してもよく，着色は使用してもよい。
【００３５】
また，図６に示された出力インタフェースはユーザ（例えば，医師）によって提供されたコメントを示しているためのディスプレイ６１を提供する。ユーザはいかなる知られている手段，例えば，キーボード，キーパッド，声のインタフェース，筆跡インタフェース（タブレット），バーコードリーダーなどでもそのようなコメントに入ることができる。例えば，そのようなコメント７１は図７と８に示される。
【００３６】
また，図６−８に示されるように、出力インタフェース３は、イメージデータ・ディスプレイを有する分野６３と様々な入力オプションを含むオプションのディスプレイを含む。これらの入力オプションは例えばプリントアウト，映像操作，および他の後工程の機能性を可能にする。テクニックが実装された映像操作は、例えばズームイン／アウト（即ち，倍率），マスキング，イメージ回転などを含むことができる。図８は，ユーザが詳細によりすばらしいイメージディスプレイ５５の特定の範囲８１を見るために倍率ボタン８２を選択した場合を特に示している。
【００３７】
出力インタフェース３によって可能にされた別の重要な機能は，いわゆる「結果編集」である。そのような結果編集は，ＣＡＤ調査結果（例えば，図６における参照数字の６２で示されるように）を再検討して，それらに関する決定をしているユーザにかかわる。ユーザは，ＣＡＤ調査結果と同意するか，または意見を異にして，ポインティング・デバイス（例えば，マウス，電子ペンなど）を使用して，いずれかそれらを皆，削除して，その人の自己の診断調査結果をイメージに追加することができる。図７は，そのような結果編集が実装されるかもしれない１つの模範的方法を表現する。イメージディスプレイ５５では，ユーザによって確認された（即ち，同意された）ＣＡＤ結果が薄い包囲７２を有するのが示される。ユーザによって捨てられる（即ち，意見を異にされた）ＣＡＤ結果は叩き付けられた包囲７３が示される。最終的に，ＣＡＤ処理で検出されなかったユーザ診断は，厚さに包囲７４を有するのが示される。そのような指摘（例えば，異なった形，異なった色など）の他の多くの方法が可能である。結果編集の結果が，ユーザが有するであろういかなるコメント７１と共に，最終結果として格納される。
【００３８】
図６−８に示された出力インタフェースは，追加機能を可能とする。例えば，ユーザは，ＣＡＤシステムに興味がある小さい領域を選択して，その小さい領域に関する特徴パラメータを計算させることができる。ユーザは，ＣＡＤシステムにまた，関心領域を選択して，その領域を再検討させることができる。そして，ＣＡＤシステムからの初期の出力イメージのように，そのような操作からの結果として起こる出力イメージは，ユーザによるさらなる試験のためにインタフェース３を出力するためにリンクされる。
【００３９】
本発明は，好適な実施形態に関して詳細に説明され，当業者は，変更及び修正は，より広い観点において本発明から逸脱されない，ということは明らかである。本発明は，したがって，追加クレームで定義されるように，発明の本当の精神の中で低下するような全ての変更と修正とを含むことを意図する。
【図面の簡単な説明】
【００４０】
発明の実施形態が現在中で添付図面に関連して説明される，即ち：
図１はＣＡＤシステムの一般的なブロック図を示している。
図２は，本発明のある実施形態にかかるＣＡＤシステムのブロック図を示しており，入力インタフェースの好ましい実施形態を示している。
図３は，本発明の実施形態にかかるＣＡＤシステムのブロック図を示している。
図４は，スクリーンショットがバーコードを使用することでイメージＩＤ番号を入力するためにインタフェースの実施形態を示すのを示す。及び
図５−８は，本発明にかかるスクリーンショットが出力インタフェースの実施形態を示すのを示す。
【図１】
2006502751.tif 000003
【図２】
2006502751.tif 000004
【図３】
2006502751.tif 000005
【図４】
2006502751.tif 000006
【図５】
2006502751.tif 000007
【図６】
2006502751.tif 000008
【図７】
2006502751.tif 000009
【図８】
2006502751.tif 000010
【国際調査報告】
2006502751.tif 000011